(57)【特許請求の範囲】
【請求項１】
シリンダー錠の外筒内に配設されるケーシングと、内筒プラグ内の多重素子ピンすなわち中核下ピンと外殻下ピンに対応した複数ピンすなわち中核上ピンと外殻上ピンと、上記ケーシング内に配され一端が前記複数ピンと一体的に配されている複数ピン付勢バネとを備え、ケーシング開放部より内方に突成された突縁の内径が、上記ケーシング内にある外殻上ピン上部より外方に突成された突縁の外径より小さくしてなるとともに、ケーシング外周面とシリンダー錠外筒内周面とにそれぞれネジ部を設けて螺合自在としてなることを特徴とするシリンダー錠の複数ピン型上ピン。
【発明の詳細な説明】
【０００１】
【発明の属する技術分野】
本発明は、多重素子ピンを用いたシリンダー錠の複数ピン型上ピンに係り、特に、シリンダー錠の組み替え作業を楽に行い得るとともに、ピッキングなどの不正解錠の防止に効果のある複数ピン型上ピンに関するものである。
【０００２】
【従来の技術】
通常、シリンダー錠の上ピンは、内筒プラグと外筒との境目(シャーライン)に位置するようにバネ応力との組み合わせにより位置づけられている。多重素子ピンを下ピンに用いた場合にも同様であり、特殊な構造の上ピン、例えば公知の上ピン（特許第６５６６８４４号）を用いた場合でさえもバネ応力により内筒プラグが回転しないよう上ピンにより阻止されている。
しかしながら、このようなシリンダー錠の組み替えを行う場合、上ピンを外筒に保持するよう、内筒ホルダー等の工具を用いて上ピンが出て来ないように注意する必要があった。また、万がー、上ピンが飛び出てしまった場合、バネと上ピンを元の外筒に収めるには熟練を要した。
一方、多重素子ピンを用いたシリンダー錠といえども、特殊な工具を用いたり、ピッキング等の手段による不正解錠を完全に阻止することは困難であった。
【０００３】
【発明が解決しようとする課題】
本発明は、上記した実状に鑑みてなされたもので、シリンダー錠の外筒内に配設されるケーシングに、内筒プラグ内の多重素子ピンに対応した複数ピンと、該複数ピンを付勢する圧縮バネとを一体的に内蔵させることにより、内筒プラグを抜いても外筒から上ピンが飛び出ないようにし、シリンダー錠の組み替え作業を楽に行い得るシリンダー錠の複数ピン型上ピンを提供することをその目的とするものである。
また、本発明は、多重素子ピンを用いた耐ピッキング性能を飛躍的に向上させ、上ピンの新しい機能を生み出すことを目的に、多重素子ピン用の上ピンに用いられる前記複数ピン型上ピンあるいは公知の上ピンをそのまま利用することにより、デッドロックがかかる仕組みを構築するシリンダー錠を提供することをその目的とするものである。
さらに、多重素子ピン用の上ピンに用いられる前記複数ピン型上ピンを構成するハウジング形状をＨ型にすることにより、耐ピッキング性能を飛躍的に向上させたシリンダー錠の複数ピン型上ピンを提供することをその目的とするものである。
【０００４】
【問題を解決するための手段】
本発明に係るシリンダー錠の複数ピン型上ピンは、シリンダー錠の外筒内に配設されるケーシングと、内筒プラグ内の多重素子ピンすなわち中核下ピン、外殻下ピンに対応した複数ピンすなわち中核上ピン、外殻上ピンと、上記ケーシング内に配され一端が前記複数ピンと一体的に配されている複数ピン付勢バネとを備え、ケーシング開放部より内方に突成された突縁の内径が、上記ケーシング内にある外殻上ピン上部より外方に突成された突縁の外径より小さくしてなるとともに、ケーシング外周面とシリンダー錠外筒内周面とにそれぞれネジ部を設けて螺合自在としてなるものである。
【０００５】
【作用】
以下、本発明の作用について説明する。本発明に係るシリンダー錠の複数ピン型上ピンは、シリンダー錠の外筒内に配設されるケーシングと、内筒プラグ内の多重素子ピンすなわち中核下ピン、外殻下ピンに対応した複数ピンすなわち中核上ピン、外殻上ピンと、上記ケーシング内に配され一端が前記複数ピンと一体的に配されている複数ピン付勢バネとを備え、ケーシング開放部より内方に突成された内突縁の内径が、上記ケーシング内にある外殻上ピン上部より外方に突成された外突縁の外径より小さくしてなるので、シリンダー錠の組み替え作業の際に、内筒プラグを抜いても外筒から上ピンが飛び出ないから、シリンダー錠の組み替え作業を楽に行い得ることとなる。そして、シリンダー錠の外筒プラグ内にケーシングを配設する手段として、複数ピン型上ピンを構成するハウジングの外周面と、シリンダー錠の外筒プラグ内周面とにそれぞれネジ部を設けて、螺合自在とすれば、シリンダー錠の外筒プラグ内に複数ピン型上ピンを簡単かつ容易に螺合固着できる。また、本発明に係るシリンダー錠は、上ピンが凸構造を持つとともに、シリンダー内筒プラグに上ピンの凸構造が落ちるアンチピッキング溝を設け、さらに中間ピンが存在することによってシャーラインが上下２箇所にできるため、ピッキングが困難になる上、特殊な工具を用いたり、ピッキング等の手段によって、不正なシャーラインで内筒プラグを回すと、アンチピッキング溝に上ピンの中核上ピンが落ち込んで、デッドロックがかかり不正解錠が完全に阻止されることとなる。さらにまた、本発明に係るシリンダー錠の複数ピン型上ピンは、ハウジング形状をＨ型にすることにより、ピッキングなどの不正解錠を行うために内筒プラグにテンションを掛けると、内筒と外筒の境目（シャーライン）にずれが生じ、このずれの部分にＨ型の突起がぶつかることによって、上ピンを上がり難くするものである。
【０００６】
【実施例】
以下、本発明について、実施例に基づき説明する。図１は本発明に係るシリンダー錠の複数ピン型上ピンを示す概略断面図である。図２は上記複数ピン型上ピンを外筒に固着した状態を示す概略断面図、図３は上記複数ピン型上ピンが通常の上ピンとして作用する場合のシャーライン形成状態を示す概略断面図、図４は上記複数ピン型上ピンがアンチピッキングピンとして作用する場合のシャーライン形成状態を示す概略断面図、図５は上記複数ピン型上ピンを使用したシリンダー錠の分解斜視図である。図において、本発明に係るシリンダー錠の複数ピン型上ピン１は、シリンダー錠内筒２の外筒３内に配設されるケーシング４に、内筒プラグ５内の多重素子ピン（中核下ピン６、外殻下ピン７）に対応した複数ピン（中核上ピン８、外殻上ピン９）と、該複数ピンを付勢する圧縮バネ10とを一体的に内蔵させてなる。さらに詳しくは、内筒プラグ内の多重素子ピンすなわち中核下ピン、外殻下ピンに対応した複数ピンすなわち中核上ピン、外殻上ピンと、上記ケーシング内に配され一端が前記複数ピンと一体的に配されている複数ピン付勢バネとを備え、ケーシング開放部より内方に突成された内突縁の内径が、上記ケーシング内にある外殻上ピン上部より外方に突成された外突縁の外径より小さくしている。
また、ケーシング４の外周面11と、シリンダー錠の外筒３の内周面12とにそれぞれネジ部13,14を設けて、螺合自在としている。15は円盤型中間ピン、15’はドーナツ型中間ピンである。したがって、一体型の複数ピン型を用いることにより、複数ピン型上ピン１はシリンダー錠の組み替え作業の際に、内筒プラグを抜いても外筒から上ピン（中核上ピン８、外殻上ピン９）が飛び出ないから、シリンダー錠の組み替え作業を楽に行なうことができ、また、ケーシング４と外筒３とにそれぞれ対応するネジ部を設けたから、外筒３内に複数ピン型上ピン１を簡単かつ容易に螺合固着できる。また、上記中核上ピン８は凸構造16を持ち、シリンダー内筒プラグ５に設けられたアンチピッキング溝17に落ちる構成とされ、これによって、特殊な工具を用いたり、ピッキング等の手段による不正解錠が完全に阻止されることとなる。ここで、中間ピンの形状は、穴の空いていない円盤型であっても、ドーナツ型であっても、中核上ピン８の凸構造16が正常なシャーライン形成時にアンチピッキング溝17に落ち込むことを防ぐ形状であればよく、穴の有無は本機能に係らないが、本来の多重素子ピンの機能を考慮するならば、ドーナツ型である方が好ましい。以下、本発明の使用の実際を、図５から図10に示す説明図に従って示す。図６は施錠状態を示し、図７および図は８正常なシャーライン形成状態で内筒プラグ５が回動する状態を示す。通常、純正キー（合鍵）を挿入した場合、図５に示す正常なシャーラインが形成され、図７ないし図８に示した多重素子ピン（中核下ピン６、外殻下ピン７）と中間ピン15との境界で内筒プラグが回動する。図９および図10は不正なシャーライン形成状態で内筒プラグ５が回動すると、中核上ピン８の凸構造16がシリンダー内筒プラグ５に設けられたアンチピッキング溝17に落ちて、内筒プラグ５の回動が停止される状態を示している。
【０００７】
図11は本発明に係るシリンダー錠に公知の上ピンを使用した実施例を示す分解斜視図である。
図において、本発明に係るシリンダー錠20は、上ピンの内側ピン素子である中核上ピン21は、シリンダー内筒プラグ22に設けられたアンチピッキング溝23に落ちる凸構造24を持っている。25は上ピン用バネ、26は上ピン、27、27’は各々円盤型中間ピン、ドーナツ型中間ピン、28は中核下ピン、29は外殻下ピンそして30は外筒である。
以下、本発明の使用の実際を、図12から図16に示す説明図に従って示す。
図12は施錠状態を示し、図13および図14は正常なシャーライン形成状態で内筒プラグ22が回動する状態を示す。通常、純正キー（合鍵）を挿入した場合、図11に示す正常なシャーラインが形成され、図13ないし図14に示した多重素子ピン（中核下ピン28、外殻下ピン29）と中間ピン27との境界で内筒プラグが回動する。図15および図16のごとく不正なシャーライン形成状態で内筒プラグ22が回動すると、中核上ピン21の凸構造24がシリンダー内筒プラグ22に設けられたアンチピッキング溝23に落ちて、内筒プラグ22の回動が停止される状態を示している。
【０００８】
図17から図20は、本発明に係るシリンダー錠の複数ピン型上ピンの別の実施例を示し、 図17は、耐ピッキング性能を向上させた本発明に係るシリンダー錠の複数ピン型上ピンの形状をＨ型にした状態を示す概略断面図である。図18は上記複数ピン型上ピンを外筒に備え、多重素子ピン（中核下ピン39、外殻下ピン40を内筒に挿入した状態を示す概略断面図、図19は不正解錠を試みようとして上記複数ピン型上ピンに回転応力（テンション）を掛けた状態、図20はテンションを掛けた状態で、不正解錠を試みようと外殻下ピンを押し上げた状態を示す概略断面図である。
図18において、本発明に係るシリンダー錠の複数ピン型上ピン31は、シリンダー錠外筒36内に圧縮バネ38とともに配設され、内筒37に内設された多重素子ピン（中核下ピン39、外殻下ピン40）にバネ圧をかけている。この状態で内筒に回転応力（テンション）を掛けると、図19に示すごとく内筒がずれて、複数ピン型上ピン31の突起部32及び突起部33が外筒および内筒の壁面に密接した状態で傾いて止まる。この状態で、ピックと呼ばれるピッキング工具などにより外殻下ピン40を押し上げると、図20に示すごとく複数ピン型上ピン31の突起部33が、外筒がずれて生じた先端41に引っかかるため、複数ピン型上ピン31が外筒36内に収まらなくなり、結果ピッキングが出来ないことになる。
【０００９】
【発明の効果】
以上の説明から明らかなように、本発明に係るシリンダー錠の複数ピン型上ピンは、内筒プラグ内の多重素子ピンすなわち中核下ピン、外殻下ピンに対応した複数ピンすなわち中核上ピン、外殻上ピンと、上記ケーシング内に配され一端が前記複数ピンと一体的に配されている複数ピン付勢バネとを備え、ケーシング開放部より内方に突成された内突縁の内径が、上記ケーシング内にある外殻上ピン上部より外方に突成された外突縁の外径より小さくしたから、内筒プラグを抜いても外筒から上ピンが飛び出ないので、シリンダー錠の組み替え作業を楽に行い得る顕著な効果が得られる。また、本発明は、ケーシング４と外筒３とにそれぞれ対応するネジ部を設けたから、外筒３内に複数ピン型上ピン１を簡単かつ容易に螺合固着できる他、上ピンが凸構造を持つとともに、シリンダー内筒プラグにアンチピッキング溝を設け、よって、不正なシャーライン形成時に上ピンの凸構造がアンチピッキング溝に落ちるよう構成してなるから、多重素子ピン用の上ピンに用いられる前記複数ピン型上ピンあるいは公知の上ピンをそのまま利用することにより、デッドロックがかかる仕組みを構築でき、多重素子ピンを用いた耐ピッキング性能を飛躍的に向上させる効果も得られる。
【図面の簡単な説明】
【図１】本発明に係るシリンダー錠の複数ピン型上ピンを示す概略断面図である。
【図２】上記複数ピン型上ピンを外筒に固着した状態を示す概略断面図である。
【図３】上記複数ピン型上ピンが通常の上ピンとして作用する場合のシャーライン形成状態を示す概略断面図である。
【図４】上記複数ピン型上ピンがアンチピッキングピンとして作用する場合のシャーライン形成状態を示す概略断面図である。
【図５】上記複数ピン型上ピンを使用したシリンダー錠の分解斜視図である。
【図６】本発明に係るシリンダー錠の複数ピン型上ピン使用時の施錠状態の実際を示す説明図である。
【図７】本発明に係るシリンダー錠の複数ピン型上ピンの使用時において、純正キーなどによって正常なシャーラインでプラグを回動する場合を示す説明図である。
【図８】本発明に係るシリンダー錠の複数ピン型上ピンの使用時において、純正キーなどによって正常なシャーラインでプラグを回動する場合を示す説明図である。
【図９】本発明に係るシリンダー錠の複数ピン型上ピンの使用時において、不正なシャーラインでプラグを回動する場合を示す説明図である。
【図１０】本発明に係るシリンダー錠の複数ピン型上ピンの使用時において、不正なシャーラインでプラグを回動する場合を示す説明図である。
【図１１】本発明に係るシリンダー錠に公知の上ピンを使用した実施例を示す分解斜視図である。
【図１２】本発明に係るシリンダー錠使用時の施錠状態の実際を示す説明図である。
【図１３】本発明に係るシリンダー錠の使用時において、純正キーなどによって正常なシャーラインでプラグを回動する場合を示す説明図である。
【図１４】本発明に係るシリンダー錠の使用時において、純正キーなどによって正常なシャーラインでプラグを回動する場合を示す説明図である。
【図１５】本発明に係るシリンダー錠の使用時において、不正なシャーラインでプラグを回動する場合を示す説明図である。
【図１６】本発明に係るシリンダー錠の使用時において、不正なシャーラインでプラグを回動する場合を示す説明図である。
【図１７】本発明に係るシリンダー錠の複数ピン型上ピンの別の実施例を示す概略断面図である。
【図１８】上記複数ピン型上ピンを外筒に備え、多重素子ピンを内筒に配置した状態を示す概略断面図である。
【図１９】内筒に回転応力を加えて上記複数ピン型上ピンに圧力を掛けて外筒と内筒をずらした状態を示す概略断面図である。
【図２０】上記状態において、多重素子ピンの外核ピンを押し上げて複数ピン型上ピンを持ち上げようとした状態を示す概略断面図である。
【符号の説明】
１  複数ピン型上ピン
２  シリンダー錠
３  外筒
４  ケーシング
５  内筒プラグ
６  中核下ピン
７  外殻下ピン
８  中核上ピン
９  外殻上ピン
10  圧縮バネ
11  ケーシング外周面
12  外筒内周面
13  ネジ部
14  ネジ部
円盤型中間ピン
15’ ドーナツ型中間ピン
16  凸構造
17  アンチピッキング溝
20  シリンダー錠
21  中核上ピン
22  シリンダー内筒プラグ
23  アンチピッキング溝
24  凸構造
25  上ピン用バネ
26  上ピン
円盤形中間ピン
27’ ドーナツ型中間ピン
28  中核下ピン
29  外殻下ピン
外筒
複数ピン型上ピン
突起部
突起部
中核上ピン圧縮バネ
中核上ピン
外筒
内筒
圧縮バネ
中核下ピン
外殻下ピン
外筒ずれ先端
【図１】
0004231650.tif 000002
【図２】
0004231650.tif 000003
【図３】
0004231650.tif 000004
【図４】
0004231650.tif 000005
【図５】
0004231650.tif 000006
【図６】
0004231650.tif 000007
【図７】
0004231650.tif 000008
【図８】
0004231650.tif 000009
【図９】
0004231650.tif 000010
【図１０】
0004231650.tif 000011
【図１１】
0004231650.tif 000012
【図１２】
0004231650.tif 000013
【図１３】
0004231650.tif 000014
【図１４】
0004231650.tif 000015
【図１５】
0004231650.tif 000016
【図１６】
0004231650.tif 000017
【図１７】
0004231650.tif 000018
【図１８】
0004231650.tif 000019
【図１９】
0004231650.tif 000020
【図２０】
0004231650.tif 000021